(57)【特許請求の範囲】
【請求項１】
平行配置された第１、第２の案内支柱と、該第１、第２の案内支柱の間隔を平行に規制する規制部材と、前記案内支柱に適宜間隔で摺動自在に配置された複数のスライダと、該スライダの内で第１の案内支柱を摺動するスライダと第２の案内支柱を摺動するスライダとを交互にピン結合する複数のリンク部材と連結リンクとから構成され、前記各々のリンク部材の端部に鉄筋材を載せることのできるフックを形成すると共に、前記スライダの摺動を規制する固定機構を備えたことを特徴とする配筋間隔割出し装置。
【請求項２】
各々のリンク部材の端部に形成されたフックは、第２の案内支柱の外側に配設されたことを特徴とする請求項１記載の配筋間隔割出し装置。
【請求項３】
リンク部材の端部に、当該配筋間隔割出し装置を鉄筋に保持固定する固定クランプが取り付けられたことを特徴とする請求項１記載の配筋間隔割出し装置。
【請求項４】
フックには、ピッチを示す指標が配設されたことを特徴とする請求項１記載の配筋間隔割出し装置。
【請求項５】
第２の案内支柱の両端に、配筋位置調整機構が備えられていることを特徴とする請求項１に記載の配筋間隔割出し装置。
【請求項６】
長さの等しい第１と第２のリンク部材をその中間点でピン結合してなるリンク要素を、複数個、夫々第１と第２とのリンク部材の端部でピン結合して装置本体を構成し、前記第１のリンク部材の端部に鉄筋材を載せることのできるフックを夫々取り付けると共に、前記装置本体の両端部に開度固定具を配設したことを特徴とする配筋間隔割出し装置。
【請求項７】
開度固定具の下には、高さ調整具を備えたことを特徴とする請求項６に記載の配筋間隔割出し装置。
【発明の詳細な説明】
【０００１】
【発明の属する技術分野】
本発明は、建築、土木作業現場において、鉄筋工事をする際に縦筋と横筋を等間隔に配筋した後、番線で結束する為の配筋間隔割出し装置に関するものである。
【０００２】
【従来の技術】
一般に従来の配筋作業は、例えばコンクリート壁を施工する場合、先ず基礎の墨出しに従って所定のピッチ毎に縦筋を配筋した後、横筋を配筋する際に、作業者がスケールを使用して寸法を割り出してから、基準とすべき縦筋に、チョーク、油性筆記具等で標線を記し、この標線を目安として横筋を順次配筋し、然る後、縦筋と横筋を番線等で絡げて結束していた。
【０００３】
また、コンクリート床スラブを施工するには、先ず、パイプサポートである、支柱を割り付けに従って建て、これに大引き、根太を配し、その上で床型枠板を貼り合わせて床型枠を組立、床型枠の上方にスラブ筋を縦横に所定ピッチで配筋するものである。この時、予め配筋作業者がコンクリート壁施工の時と同様にスケールとチョーク、油性筆記具等で標線を記し、この標線を目安としてスラブ筋を順次配筋していた。
【０００４】
【発明が解決しようとする課題】
しかし、上述のように従来の配筋作業では、設定強度に従って種々の配筋ピッチが必要となり、その都度、鉄筋の配筋位置をスケールで測定して標線を記入する必要があった。このため、作業が煩雑となり、手間と時間のかかる能率の悪いものであった。また、配筋ピッチを正確に行う為には、熟練工が必要であると云う欠点が存在した。更に、壁用鉄筋の横筋を結束する際には、作業者は配筋位置で鉄筋を支えたまま結束作業を行なわなければならず、作業が困難であった。
【０００５】
本発明の目的は、これら従来の配筋作業の問題点に鑑み、なされたもので、種々の配筋幅に適合する配筋作業を迅速且つ正確にできる配筋間隔割出し装置を提供することにある。
【０００６】
【課題を解決するための手段】
上記目的を達成するために、本発明の配筋間隔割出し装置は、平行配置された第１、第２の案内支柱と、該第１、第２の案内支柱の間隔を平行に規制する規制部材と、前記案内支柱に適宜間隔で摺動自在に配置された複数のスライダと、該スライダの内で第１の案内支柱を摺動するスライダと第２の案内支柱を摺動するスライダとを交互にピン結合する複数のリンク部材と連結リンクとから構成され、前記各々のリンク部材の端部に鉄筋材を載せることのできるフックを形成すると共に、前記スライダの摺動を規制する固定機構を備えたものである。
【０００７】
また、前記各々のリンク部材の端部に形成されたフックは、第２の案内支柱の外側に配設されたものである。更に、リンク部材の端部に、当該配筋間隔割出し装置を鉄筋に保持固定する固定クランプが取り付けられたこと、；前記フックには、ピッチを示す指標が配設されたこと、；前記第２の案内支柱の両端に、配筋位置調整機構が備えられていることを含むものである。
【０００８】
長さの等しい第１と第２のリンク部材をその中間点でピン結合してなるリンク要素を、複数個、夫々第１と第２とのリンク部材の端部でピン結合して装置本体を構成し、前記第１のリンク部材の端部に鉄筋材を載せることのできるフックを夫々取り付けると共に、前記装置本体の両端部に開度固定具を配設したことを特徴とするものである。更に、前記開度固定具の下には、高さ調整具を備えたものである。
【０００９】
【発明の実施の形態】
以下、本発明の実施例について、図面を参照しつつ説明する。図１は本発明の一実施例である配筋間隔割出し装置を示す要部構成図、図２は第１、第２の案内支柱の間隔を狭くし、配筋ピッチを大きくした場合を示す説明図、図３は同配筋間隔割出し装置の要部横断面図である。
【００１０】
ここで、配筋間隔割出し装置１０は、垂直に配設された第１の案内支柱１１と第２の案内支柱１２とが間隔を平行に規制する規制部材１３により、平行に保持されている。この規制部材１３は、案内支柱の上下両端に配設されている。また、第１の案内支柱１１と第２の案内支柱１２は、本実施例では、重量を軽くする為に中空パイプで構成されている。
【００１１】
案内支柱１１，１２には、適宜間隔で摺動自在に配置された複数のスライダ１４と、このスライダの内で第１の案内支柱１１を摺動するスライダ１４ａと、第２の案内支柱１２を摺動するスライダ１４Ａとがピン結合するリンク部材１５ａによって連結されている。リンク部材１５ａとスライダ１４ａ及びスライダ１４Ａとはピン１６，１６で回動可能に連結され、リンク部材１５ａの端部には、鉄筋材を載せる事ができるフック１７が形成されている。また、案内支柱１１には、図１，２に示すように目盛り１１ａが表示されており、スライダの移動量を表す事ができる。
【００１２】
また、フック１７の外側には、指標としての指標突起１７ａが形成されている。この指標突起１７ａによって鉄筋の間隔を容易に測定できる。更に、第１の案内支柱１１の挿通されたスライダを１４ａ、１４ｂ、１４ｃ，……１４ｘ、とし、第２の案内支柱１２に挿通されたスライダを１４Ａ、１４Ｂ、１４Ｃ、……１４Ｘとすると、スライダ１４Ａとスライダ１４ｂとは、連結リンク１８でピン結合されている。また、スライダ１４ａとスライダ１４Ａとは、リンク部材１５ａでピン結合されている。順次、千鳥状にスライダ１４ｂとスライダ１４Ｂとは、リンク部材１５ｂにより、スライダ１４Ｂとスライダ１４ｃとは、連結リンク１８によってピン結合されている。
【００１３】
このように、第１の案内支柱１１、第２の案内支柱１２に挿通されたスライダは、リンク部材１５、連結リンク１８で夫々連結されており、隣接するフック１７とフック１７の間隔が常に等しい間隔となる。つまり、規制部材１３，１３によって平行に保たれた第１の案内支柱１１と第２の案内支柱１２は、リンク部材１５と連結リンク１８の有効長さ（角度）によってフック１７、１７の間隔を決定する。
【００１４】
スライダ１４ａには、固定機構である螺子１９が取り付けられており、この螺子１９を締め付ける事によりスライダ１４ａを第１の案内支柱１１に固定する事ができる。本実施例では、螺子１９は、一番上のスライダ１４ａに取り付けられた場合について説明したが、これに限る事なく他のスライダに取り付けてもよい。更に、規制部材１３を固定してもよく、これによりフック１７の間隔を保持固定する事ができる。
【００１５】
図３に示すように、リンク部材１５ａの第２の案内支柱１２に位置する部位には、適宜高さに固定クランプ２０が取り付けられている。固定クランプ２０は、バネ２１で閉方向に付勢された挟み部２２で縦鉄筋２３を挟み、配筋間隔割出し装置１０を保持固定する事ができる。
【００１６】
次に、以上のように構成された配筋間隔割出し装置の使用方法について説明する。先ず、配筋ピッチを大きくする場合は、図２，５に示す如く第１の案内支柱１１、第２の案内支柱１２の間隔を狭くしてスライダ１４Ａ、１４Ｂ……１４Ｘのピッチを大きくする。逆に、配筋ピッチを小さくする場合には、図１、６に示すように、第１の案内支柱１１と第２の案内支柱１２の間隔を大きくする。このように、フック１７，１７の間隔を決定した後、固定クランプ２０で縦鉄筋２３に固定する。
【００１７】
配筋間隔割出し装置１０を縦鉄筋２３に固定した後、図４，７に示すように横鉄筋２４をフック１７に載せて、仮セットする。各高さのフック１７に横鉄筋２４をセットするのみで、自動的に配筋幅を割り付けでき、手で支えながら結束する必要がないので、作業能率を著しく向上する事ができる。なお、配筋間隔割出し装置１０自体の高さ調整のためには、桟木２５等を使用する事ができる。
【００１８】
図８は、本発明の他の実施例を示す要部構成図である。配筋間隔割出し装置１０は、長さの等しい第１のリンク部材２６と第２のリンク部材２７とがその中間点でピン２８により回動自在に支承されたリンク要素２９が複数個、夫々リンク部材２６，２７の端部でピン３０，３１によって結合されて、装置本体が構成されている。また、第１のリンク部材２６の側端部には、フック３２が形成されている。このフック３２は、鉄筋材を載せる事ができる形状となっている。更に、フック３２の外側には、指標としての指標突起３２ａが形成されており、フック３２のピッチを容易に測定する事ができる。
【００１９】
図１２乃至図１３に示すように、リンク要素２９を複数個連結してなる装置本体の両端には開度固定具３３が備えられている。開度固定具３３には、図８に示すように、第２のリンク部材２７の端部が固定端３３ａにピン３４で連結されている。また、第２のリンク部材２７の端部２７ａが長穴３５内を移動可能に配設されている。図９に示すように、第２のリンク部材２７の端部には、ボルト３６及び蝶ナット３７とが取り付けられており、蝶ナット３７を締め付ける事により、ボルト３６の長穴３５内の移動を規制する。
【００２０】
これにより、第１のリンク部材２６，第２のリンク部材２７の角度を決定し、結果としてフック３２，３２の間隔を定める事ができる。また、図８に示すように、開度固定具３３には、目盛り３８が形成されており、フック３２の間隔をスケールで測る事なく予め定める事ができる。また、図１０に示すようにリンク要素２９には、固定クランプとしてバネ付勢された挟み部２２が取り付けられており、縦鉄筋２３に前記装置本体を容易に取り付ける事ができる。
【００２１】
以上のような構成により、図１２，１３に示すようにフック３２，３２の間隔を調整する事ができる。また、本実施例では、案内支柱がないので短縮した場合、案内支柱が邪魔になる事がない。
【００２２】
開度固定具３３の下には、高さ調整具３９が取り付けられている。高さ調整具３９は、ピンで回動可能に取り付けられた脚部材４０と長穴４１内に固定可能に遊嵌された脚部材４２とから構成され、脚部材４０と脚部材４２は、中央でピン４３で連結されている。したがって、脚部材４０，４２が同一長さのリンク機構を形成し、開度固定具３３を上下に平行移動する事ができる。
【００２３】
以上のように構成された、高さ調整具３９は、脚部材４２の端部を長穴４１内で移動する事により、高さ調整する事ができる。
【００２４】
図１１は、固定クランプ４４の他の実施例を示す平面図である。ここで、固定クランプ４４は、ピン４５で開閉自在に支持された押え金具４６と締付ボルト４７と蝶ナット４８等から構成されている。締付ボルト４７は、矢印Ａ方向に回動し、縦鉄筋２３を挟んだ後に蝶ナット４８を締める事により固定する。
【００２５】
図１５は、同配筋間隔割出し装置を床スラブの配筋に使用した場合を示す説明図である。配筋間隔割出し装置１０は両側に配筋位置調整機構４９を備えている。この配筋位置調整機構４９によって、スラブ型枠５０の上に固定すると共に、型枠からの位置を調整する。
【００２６】
配筋位置調整機構４９は、図１６，１７に示すように、取付台５１に平行リンク５２，５３とアジャストボルト５４及び調整ナット５５等から構成されている。このような構成の配筋位置調整機構４９において、調整ナット５５を締めることにより、平行リンク５２，５３が倒れフック１７がスラブ型枠５０に接近する。逆に、調整ナット５５を緩めると平行リンク５２．５３が起きあがり、第１の案内支柱１１及び第２の案内支柱１２を平行状態に保ったまま、スラブ型枠５０から遠ざける事ができる。
【００２７】
このように、本発明の配筋間隔割出し装置１０は、床スラブの配筋についても使用する事ができる。
【００２８】
【発明の効果】
以上説明したように、本発明の配筋間隔割出し装置では、平行配置された第１、第２の案内支柱と、該第１、第２の案内支柱の間隔を平行に規制する規制部材と、前記案内支柱に適宜間隔で摺動自在に配置された複数のスライダと、該スライダの内で第１の案内支柱を摺動するスライダと第２の案内支柱を摺動するスライダとを交互にピン結合する複数のリンク部材と連結リンクとから構成され、前記各々のリンク部材の端部に鉄筋材を載せることのできるフックを形成すると共に、前記スライダの摺動を規制する固定機構を備え、前記各々のリンク部材の端部に形成されたフックは、第２の案内支柱の外側に配設されたので、スケールとチョーク等により配筋ピッチを印す作業が必要なく、配筋作業を著しく能率化する事ができる。また、配筋ピッチを正確に行う事ができ、熟練した配筋工を必要とする事なく、確実な配筋及び結束作業ができる。
【００２９】
また、前記リンク部材の一部には、固定クランプが取り付けられたので、配筋間隔割出し装置を容易に縦鉄筋に固定する事ができる。更に、前記フックには、ピッチを示す指標が配設されたので、フックの間隔を容易に測定できる。
【００３０】
長さの等しい第１と第２のリンク部材をその中間点でピン結合してなるリンク要素を、複数個、夫々第１と第２とのリンク部材の端部でピン結合して装置本体を構成し、前記第１のリンク部材の端部に鉄筋材を載せることのできるフックを夫々取り付けると共に、前記装置本体の両端部に開度固定具を配設したので、案内支柱を必要とする事なく作業上の邪魔になる事がない。
【００３１】
前記開度固定具の下には、高さ調整具を備えたので、配筋間隔割出し装置の高さ位置を調整する事ができる。また、スラブ型枠の上で水平にして使用する事により、床スラブの配筋に使用する事ができる。
【図面の簡単な説明】
【図１】本発明の一実施例である配筋間隔割出し装置を示す要部構成図である。
【図２】同配筋間隔割出し装置の第１、第２の案内支柱の間隔を狭くし、配筋ピッチを大きくした場合を示す説明図である。
【図３】同配筋間隔割出し装置の固定クランプ部を示す要部横断面図である。
【図４】同配筋間隔割出し装置を使用して壁鉄筋の横筋を配筋している状態を示す説明図である。
【図５】同配筋間隔割出し装置の伸張した状態を示す説明図である。
【図６】同配筋間隔割出し装置の短縮した状態を示す説明図である。
【図７】同配筋間隔割出し装置の使用状態を示す側面図である。
【図８】本発明の配筋間隔割出し装置の他の実施例を示す要部構成図である。
【図９】同配筋間隔割出し装置の開度固定具を示す横断面図である。
【図１０】同配筋間隔割出し装置の固定クランプ部を示す説明図である。
【図１１】同固定クランプ部の他の実施例を示す説明図である。
【図１２】同配筋間隔割出し装置の伸張した状態を示す説明図である。
【図１３】同配筋間隔割出し装置の短縮した状態を示す説明図である。
【図１４】同配筋間隔割出し装置を使用して壁鉄筋の横筋を配筋する場合を示す説明図である。
【図１５】同配筋間隔割出し装置を床スラブの配筋に使用した場合を示す説明図である。
【図１６】同配筋間隔割出し装置を床スラブに使用する場合の配筋位置調整機構を示す説明図である。
【図１７】同配筋間隔割出し装置の配筋位置調整機構の動作説明図である。
【符号の説明】
１０          配筋間隔割出し装置
１１          第１の案内支柱
１１ａ        目盛り
１２          第２の案内支柱
１３          規制部材
１４ａ〜ｘ    スライダ
１４Ａ〜Ｘ    スライダ
１５          リンク部材
１６          ピン
１７          フック
１７ａ        指標突起
１８          連結リンク
１９          螺子
２０          固定クランプ
２１          バネ
２２          挟み部
２３          縦鉄筋
２４          横鉄筋
２５          桟木
２６          第１のリンク部材
２７          第２のリンク部材
２８          ピン
２９          リンク要素
３０,３１     ピン
３２          フック
３２ａ        指標突起
３３          開度固定具
３３ａ        固定端
３４          ピン
３５          長穴
３６          ボルト
３７          蝶ナット
３８          目盛り
３９          高さ調整具
４０          脚部材
４１          長穴
４２          脚部材
４３          ピン
４４          固定クランプ
４５          ピン
４６          押え金具
４７          締付ボルト
４８          蝶ナット
４９          配筋位置調整機構
５０          スラブ型枠
５１          取付台
５２,５３     平行リンク
５４          アジャストボルト
５５          調整ナット
【図１】
0003676489.tif 000002
【図２】
0003676489.tif 000003
【図３】
0003676489.tif 000004
【図４】
0003676489.tif 000005
【図５】
0003676489.tif 000006
【図６】
0003676489.tif 000007
【図７】
0003676489.tif 000008
【図８】
0003676489.tif 000009
【図９】
0003676489.tif 000010
【図１０】
0003676489.tif 000011
【図１１】
0003676489.tif 000012
【図１２】
0003676489.tif 000013
【図１３】
0003676489.tif 000014
【図１４】
0003676489.tif 000015
【図１５】
0003676489.tif 000016
【図１６】
0003676489.tif 000017
【図１７】
0003676489.tif 000018